(57)【要約】【課題】欠損画素を補間して視覚上目立たなくした表示装置を提供する。【解決手段】所定の配置パターンに従って二次元状に並んだ複数の画素と、補間パターンに従って前記複数の画素から選択された１又は複数の補間元画素から発せられた光の少なくとも一部が、補間先の位置から出射されるように、前記光の少なくとも前記一部を補間先の位置まで導く光学部品と、を備える。【選択図】図５
2018197781.tif 000002
【特許請求の範囲】
【請求項１】
所定の配置パターンに従って二次元状に並んだ複数の画素と、
補間パターンに従って前記複数の画素から選択された１又は複数の補間元画素から発せられた光の少なくとも一部が、補間先の位置から出射されるように、前記光の少なくとも前記一部を補間先の位置まで導く光学部品と、
を備えることを特徴とする表示装置。
【請求項２】
請求項１に記載の表示装置であって、
前記補間先の位置とは、前記所定の配置パターンに従って二次元状に並んだ前記複数の画素が存在する位置とは異なる位置であることを特徴とする表示装置。
【請求項３】
請求項１に記載の表示装置であって、
前記補間先の位置とは、前記所定の配置パターンに従って二次元状に並んだ前記複数の画素の何れかが存在する位置であることを特徴とする表示装置。
【請求項４】
請求項１に記載の表示装置であって、
前記補間先画素の位置とは、前記所定の配置パターンに従って二次元状に並んだ前記複数の画素のうちの欠損画素となった画素が存在する位置であることを特徴とする表示装置。
【請求項５】
請求項４に記載の表示装置であって、
前記光学部品は、各補間元画素から発せられる光であって、前記補間先画素の存在位置から出射されない光の少なくとも一部が各補間元画素の位置から出射されるように前記光を分配することを特徴とする表示装置。
【請求項６】
請求項５に記載の表示装置であって、
前記１又は複数の補間元画素の少なくとも一部から発せられる光の量を前記欠損画素が正常である場合と比較して増加させる光量調整手段と、
を備えることを特徴とする表示装置。
【請求項７】
請求項６に記載の表示装置であって、
前記補間元画素から出射した光の一部が前記光学部品に導かれて前記欠損画素の位置から出射するように前記光学部品を配置した場合において前記欠損画素の位置から出射する光の明るさと補間元画素の位置から出射する光の明るさが、前記欠損画素が正常画素であり、前記光学部品を配置しない場合において前記欠損画素の位置から出射する光の明るさと補間元画素の位置から出射する光の明るさと同一になるように、前記光学部品の特性及び前記光量調整手段による調整量が調整されていることを特徴とする表示装置。
【請求項８】
請求項６に記載の表示装置であって、
前記補間元画素から出射した光の一部が前記光学部品に導かれて前記欠損画素の位置から出射するように前記光学部品を配置した場合において前記欠損画素の位置から出射する光の明るさと補間元画素の位置から出射する光の明るさが、前記欠損画素が正常画素であり、前記光学部品を配置しない場合において前記欠損画素の位置から出射する光の明るさと補間元画素の位置から出射する光の明るさと同一になるように、前記光学部品の特性及び前記光量調整手段による調整量が調整され、光学的付加部品が追加されていることを特徴とする表示装置。
【請求項９】
請求項６乃至８の何れか１項に記載の表示装置であって、
前記欠損画素の位置を検出するための欠損画素位置検出手段と、
前記欠損画素の位置を記憶する欠損画素位置記憶手段と、
を更に備え、
前記光量調整手段は、前記欠損画素位置記憶手段に記憶されている前記欠損画素の位置と前記補間パターンに従って選択された前記１又は複数の補間元画素の光量を調整することを特徴とする表示装置。
【請求項１０】
請求項９に記載の表示装置であって、
前記欠損画素位置検出手段により検出された前記欠損画素の位置を出力する欠損画素位置出力手段を更に備えることを特徴とする表示装置。
【請求項１１】
請求項４乃至１０の何れか１項に記載の表示装置であって、
前記所定の配置パターンとは、複数の色の画素が組を成すようなものであり、
前記光学部品は、補間元画素の１又は複数の組から発せられた光の少なくとも一部が当該光学部品に導かれて欠陥画素を１又は複数含む組の位置から出射されるように配置され、
前記欠陥画素を含む１又は複数の組に属する正常画素を強制消灯させる強制消灯手段を更に備えることを特徴とする管理装置。
【請求項１２】
請求項１乃至１１の何れか１項に記載の表示装置であって、
前記光学部品は、前記補間パターンに応じた構成を有することを特徴とする表示装置。
【請求項１３】
請求項１乃至１２の何れか１項に記載の表示装置であって、
前記所定の配置パターン、前記補間先画素の位置に応じて、前記補間パターンを選択する補間パターン選択手段を更に備えることを特徴とする表示装置。
【請求項１４】
所定の配置パターンに従って二次元状に並んだ複数の画素を備える表示装置のための欠損画素補間方法であって、
補間パターンに従って前記複数の画素から選択された１又は複数の補間元画素から発せられた光の少なくとも一部が、前記光の少なくとも前記一部を補間先の位置まで導く光学部品により、前記所定の配置パターンに従って二次元状に並んだ前記複数の画素のうちの欠損画素となった画素が存在する位置から出射され、且つ、各補間元画素から発せられる光であって、前記補間先画素の存在位置から出射されない光の少なくとも一部が各補間元画素の位置から出射されるように前記光を分配するために前記光学部品を配置する配置ステップと、
前記補間元画素から出射した光の一部が前記光学部品を介して前記欠損画素の位置から出射するように前記光学部品を配置した場合において前記欠損画素の位置から出射する光の明るさと補間元画素の位置から出射する光の明るさが、前記欠損画素が正常画素であり、前記光学部品を配置しない場合において前記欠損画素の位置から出射する光の明るさと補間元画素の位置から出射する光の明るさと同一になるように、前記光学部品の特性及び前記光量調整手段による調整量が調整する調整ステップと、
を有することを特徴とする欠損画素補間方法。
【請求項１５】
請求項１４に記載の欠損画素補間方法であって、
前記欠損画素の位置を検出するための欠損画素位置検出ステップと、
前記欠損画素の位置を欠損画素位置記憶手段に記憶する欠損画素位置記憶ステップと、
を更に有し、
前記光量調整ステップでは、前記欠損画素位置記憶手段に記憶されている前記欠損画素の位置と前記補間パターンに従って選択された前記１又は複数の補間元画素の光量を調整することを特徴とする欠損画素補間方法。
【請求項１６】
請求項１５に記載の欠損画素補間方法であって、
前記欠損画素位置検出ステップにより検出された前記欠損画素の位置を出力する欠損画素位置出力ステップを更に有することを特徴とする表示装置。
【請求項１７】
請求項１４乃至１６の何れか１項に記載の欠損画素補間方法であって、
前記所定の配置パターンとは、複数の色の画素が組を成すようなものであり、
前記配置ステップでは、前記光学部品を、補間元画素の１又は複数の組から発せられた光の少なくとも一部が当該光学部品に導かれて欠陥画素を１又は複数含む組の位置から出射されるように配置し、
前記欠陥画素を含む１又は複数の組に属する正常画素を強制消灯させる強制消灯ステップを更に有することを特徴とする欠損画素補間方法。
【請求項１８】
請求項１４乃至１７の何れか１項に記載の表示装置であって、
前記所定の配置パターン、前記補間先画素の位置に応じて、前記補間パターンを選択する補間パターン選択ステップを更に有することを特徴とする欠損画素補間方法。
【発明の詳細な説明】
【技術分野】
【０００１】
本発明は、表示装置及び該表示装置に発生した欠損画素を補間するための欠損画素補間方法に関する。
【背景技術】
【０００２】
街頭や広場で大画面を表示する大型表示装置として、例えば、図１に示すような構成を持つものがある。図１に示す大型表示装置９０１は、運用モジュール９０３を縦２×横２に並べて１つのパネル９０５を構成し、更に、パネル９０５を縦２×横３に並べて表示装置９０１の全体の画面を構成する。従って、運用モジュールを縦４×横６に並べて表示装置の全体の画面を構成することになる。このように、大型画面を構成するために特大のモジュールを利用する必要がなくなるので、生産可能な最大のモジュールよりも表示面積が広い大型表示装置を提供することができる。また、価格の低めな中小型のモジュールを利用することにより、高価な大型のモジュールを利用する場合と比較して、価格の低い大型表示装置を提供することができる。
【０００３】
特許文献１には、計算による輝度と測定による輝度とをＬＥＤランプ毎に比較し、計算による輝度が測定による輝度よりも十分大きいＬＥＤは欠損ＬＥＤであると判断する技術が記載されている。
【先行技術文献】
【特許文献】
【０００４】
【特許文献１】特開２０１１−２０９６３７号公報
【発明の概要】
【発明が解決しようとする課題】
【０００５】
仮に、欠損画素が生じた運用モジュールを新品のモジュールに交換すると、経年変化の有無の違いにより、交換後のモジュールと周囲の交換されていない運用モジュールとの間で発光の仕方が異なり、これにより、画像にムラが出ることになってしまう。これに対して、図２に示すように、この大型表示装置は、バックヤードで常時点灯させておく予備モジュール９０７を搭載していて、何れかの運用モジュール９０３に欠損画素が発生したならば、それを予備モジュール９０７に交換することができる。これにより、モジュールを交換しても画像にムラが出ることを避けることができている。
【０００６】
しかし、頻繁にこのような交換をすることを繰り返すことはできないので、欠損画素が生じたモジュールであっても、そのまま利用し続けることができることが望まれる。
【０００７】
ここで、モジュールに欠損画素が場合、表示がどのようになるかについての説明をする。図３（ａ）は、３色の画素が組を成し、その組が格子状に並ぶ表示画面を示すが、例えば、或る組の赤色の素子だけが欠損画素１０９になった場合、図３（ｂ）に示すように、その組に割り当てられている領域全体１１０に欠損が広がることになる。特に、画像が平坦な赤であれば、周囲は赤であるのに、その欠損画素１０９を含む組に割り当てられている領域１１０が黒になってしまう。更に、大型表示装置の場合、一組の３画素に割り当てられている領域の大きさが数ミリ四方から十ミリ四方前後であるが、周囲が赤であるのにその大きさの領域のみが黒であると、画像の欠損が視覚上好ましくないものとなってしまう。
【０００８】
従って、モジュールに発生した欠損画素を何かしらの方法で補間して視覚上目立たなくし、そのモジュールを使い続けることができるようになることが望まれる。
【０００９】
そこで、本発明は、欠損画素を補間して視覚上目立たなくした表示装置及び欠損画素を補間するための欠損画素補間方法を提供することを目的とする。
【課題を解決するための手段】
【００１０】
本発明によれば、
所定の配置パターンに従って二次元状に並んだ複数の画素と、
補間パターンに従って前記複数の画素から選択された１又は複数の補間元画素から発せられた光の少なくとも一部が、補間先の位置から出射されるように、前記光の少なくとも前記一部を補間先の位置まで導く光学部品と、
を備えることを特徴とする表示装置が提供される。
【００１１】
また、本発明によれば、
所定の配置パターンに従って二次元状に並んだ複数の画素を備える表示装置のための欠損画素補間方法であって、
補間パターンに従って前記複数の画素から選択された１又は複数の補間元画素から発せられた光の少なくとも一部が、前記光の少なくとも前記一部を補間先の位置まで導く光学部品により、前記所定の配置パターンに従って二次元状に並んだ前記複数の画素のうちの欠損画素となった画素が存在する位置から出射され、且つ、各補間元画素から発せられる光であって、前記補間先画素の存在位置から出射されない光の少なくとも一部が各補間元画素の位置から出射されるように前記光を分配するために前記光学部品を配置する配置ステップと、
前記補間元画素から出射した光の一部が前記光学部品を介して前記欠損画素の位置から出射するように前記光学部品を配置した場合において前記欠損画素の位置から出射する光の明るさと補間元画素の位置から出射する光の明るさが、前記欠損画素が正常画素であり、前記光学部品を配置しない場合において前記欠損画素の位置から出射する光の明るさと補間元画素の位置から出射する光の明るさと同一になるように、前記光学部品の特性及び前記光量調整手段による調整量が調整する調整ステップと、
を有することを特徴とする欠損画素補間方法が提供される。
【発明の効果】
【００１２】
本発明によれば、欠損画素が補間されて視覚上目立たなくなる。
【図面の簡単な説明】
【００１３】
【図１】大型表示装置の画面の構成例を占めす模式図である。
【図２】図１に示すような大型表示装置におけるモジュールの交換方法を説明するための図である。
【図３】図１に示すような大型表示装置において欠損画素が発生した場合に大きな欠損領域が生じてしまうことを説明するための図である。
【図４】本発明の第１の実施の形態による表示装置において欠損画素を周辺画素と導光板により補間する構成を示す断面図である。
【図５】（ａ）は、本発明の第１の実施の形態による表示装置において欠損画素とそれの補間のために利用される周辺の４画素の明るさを示す平面図であり、（ｂ）は、本発明の第１の実施の形態による表示装置において欠損画素を、その周辺の４画素と導光板により補間した様子を示す平面図である。
【図６】複数の画素が組を成した表示装置の表示部を示す平面図である。
【図７】本発明の第１の実施の形態による導光板の第１例を示す部分平面図及び部分断面図である。
【図８】本発明の第１の実施の形態による導光板の第１例を示す平面図である。
【図９】本発明の第１の実施の形態による導光板の第２例を示す部分平面図及び部分断面図である。
【図１０】本発明の第１の実施の形態による導光板の第３例を示す部分断面図及び他の断面の断面図である。
【図１１】本発明の第１の実施の形態による導光板の第３例を示す平面図である。
【図１２】本発明の第１の実施の形態による導光板の第４例を示す部分平面図、部分断面図及び他の断面の断面図である。
【図１３】本発明の第１の実施の形態による欠損画素の補間の効果を説明するための平面図であり、（ａ）は補間前の画面を示す平面図であり、（ｂ）は補間後の画面を示す平面図である。
【図１４】（ａ）は、本発明の第２の実施の形態による表示装置において欠損画素とそれの補間のために利用される周辺の１画素の明るさを示す平面図であり、（ｂ）は、本発明の第２の実施の形態による表示装置において欠損画素を、その周辺の１画素と導光板により補間した様子を示す平面図であり、（ｃ）は、本発明の第４の実施の形態による表示装置において欠損画素とそれの補間のために利用される周辺の同一行の２画素の明るさを示す平面図であり、（ｂ）は、本発明の第４の実施の形態による表示装置において欠損画素を、その周辺の同一行の２画素と導光板により補間した様子を示す平面図である。
【図１５】（ａ）は、本発明の第４の実施の形態による表示装置において欠損画素とそれの補間のために利用される周辺の直交する２画素の明るさを示す平面図であり、（ｂ）は、本発明の第４の実施の形態による表示装置において欠損画素を、その周辺の直交する２画素と導光板により補間した様子を示す平面図である。
【図１６】（ａ）は、本発明の第１の実施の形態による導光板の第３例が分割されていないことを示す図であり、（ｂ）は、本発明の第５の実施の形態による導光板が分割されていることを示す図であり、（ｃ）は、分割後の単位導光板を示す図である。
【図１７】本発明の第５の実施の形態による導光板に追加される吸収フィルタと吸収部材を示す図である。
【図１８】（ａ）、（ｂ）、（ｃ）は、それぞれ、本発明の第５の実施の形態において１つ、２つ、３つの単位導光板と、１つ、２つ、３つの補間元画素を用いて欠損画素を補間する方法を説明するための図である。
【図１９】本発明の第５の実施の形態において吸収フィルタ又は吸収部材により出射光の強度を調整する方法を説明するための図である。
【図２０】（ａ）は、本発明の第６の実施の形態による単位導光板を示す図であり、（ｂ）、（Ｃ）は、それぞれ、２つ、１つの単位導光板と２つ、１つの補間元画素を用いて欠損画素を補間する方法を説明するための図である。
【図２１】本発明の第５の実施の形態による表示装置において欠損画素を周辺画素と光ファイバにより補間する構成を示す断面図である。
【図２２】本発明の第６の実施の形態による色毎にＬＥＤが離間している表示装置において欠損画素を同一色の周辺画素と導光板により補間する構成を示す平面図である。
【図２３】本発明の第７の実施の形態による３色のＬＥＤが組をなす表示装置において欠損画素が発生している様子を示す平面図であり、（ａ）は、１画素が欠損画素となっている場合を示し、（ｂ）は、２画素が欠損画素となっている場合を示す。
【図２４】本発明の第７の実施の形態による３色のＬＥＤが組をなす表示装置において発生した欠損画素を補間する方法を示す平面図であり、（ａ）は、欠損画素が発生した組に含まれる全ての画素が消灯している様子を示す平面図であり、（ｂ）は、周囲の４組の補間元画素と導光板により欠損画素が発生した組を補間している様子を示す平面図である。
【図２５】本発明の第８の実施の形態による補間のための構成を示す平面図である。
【図２６】本発明の第１４の実施の形態による補間のための回路の構成を示す機能ブロック図である。
【発明を実施するための形態】
【００１４】
以下、図面を参照して本発明を実施するための形態について詳細に説明する。
【００１５】
［第１の実施の形態］
図４は、本発明の第１の実施の形態による表示装置の欠損画素付近の鉛直断面に沿った断面図であり、図５（ａ）は、画素と導光板１１７との間にある水平断面に沿った欠損画素付近の断面図であり、図５（ｂ）は、欠損画素付近の上面図である。この表示装置は、単体で利用することもできるが、図１に示す大画面表示装置９０１におけるモジュール９０３として利用することもできる。
【００１６】
図４、図５（ａ）、図５（ｂ）を参照すると、表示装置１０１は、基板１０３と、これに所定の配置パターンに従って二次元状に並んだ画素を含む。画素としては、例えば、ＬＥＤが利用される。また、画素は、正常画素と欠損画素１０９を含む。欠損画素１０９は、元々は正常画素であったものだが、何かの理由により発光不良となったものである。正常画素は、補間のために利用されない通常の正常画素１０５と、補間のための補間元画素として利用される正常画素１０７に分類される。以下、補間のために利用されない通常の正常画素１０５を通常画素１０５といい、補間のための補間元画素として利用される正常画素１０７を補間元画素といい、欠損画素１０９を補間先画素ということもある。
【００１７】
また、補間元画素１０７の発光している発光面（図４における上方面）と補間先画素１０９の発光しなくなっている発光面（図４における上方面）を繋ぐように導光板１１７が配設されている。補間先画素１０９の発光しなくなっている発光面と導光板１１７のこの面と対向する面との間には反射板１１９が配設されている。
【００１８】
更に、正常画素間には、画素間の光漏れを防ぐための通常のＬＥＤガード１１１（図４、図６参照）が配設されているが、導光板１１７が配設されている位置においては、これが導光板用ＬＥＤガード１１３に置き換わっている。導光板用ＬＥＤガード１１３は、導光板１１７の配置位置を調整するために通常のＬＥＤガード１１１に対して低めに調整されている。
【００１９】
通常のＬＥＤガード１１１は、抜き差し可能であり、導光板用ＬＥＤガード１１３を配設するべき位置にある通常のＬＥＤガード１１１が抜かれた後で、そこに導光板用ＬＥＤガード１１３が差し込まれている。導光板１１７は、導光板用ＬＥＤガード１１３に対して、何かしらの手段（例えば、接着、融着）により固定されている。これらは一体成型されていてもよい。
【００２０】
この例では、図４、図５（ａ）、図５（ｂ）に示すように、上面側から見て欠損画素１０９の上下左右の隣接位置にある合計で４つの補間元画素１０７から出射した光を導光板１１７が入射する。導光板１１７に入射した光の一部が、上面側から見て４つの補間元画素１０７それぞれの位置において導光板１１７の上面側から出射するが、導光板１１７に入射した光の残りの全部又は一部が上面側から見て欠損画素１０９の位置において導光板１１７の上面側から出射するように構成されている。具体的には、例えば、導光板１１７のそれぞれの補間元画素１０７の発光面に面する面にパターン形状を設ける。これにより、導光板１１７に到達した光の一部が導光板１１７の底面でも上面でも屈折せずに導光板１１７を直線的に通過して補間元画素１０７の位置において上面側から出射する。また、導光板１１７に到達した光の他の一部が欠損画素１０９の方向に向きを変えて、導光板１１７に入射する。この光は、導光板１１７の内部で全反射を繰り返しながら欠損画素１０９の上方付近まで導かれる。そして、そこまで到達した光はそこにある反射板１１９に反射して、欠損画素１０９の位置において上面側から出射する。出射角度は分布を持つこともあるが、反射板１１９の導光板１１７側の面にパターン形状を設けることにより、出射の中心角度を反射板１１９の上面に対して垂直にすることができる。
【００２１】
また、補間元画素１０７から反射板１１７まで到達した光のうち、補間元画素１０７の位置において上面側から出射する光と、欠損画素１０９の位置において上面側から出射する光との割合が１つの補間元画素につき４：１になるように、導光板１１７の補間元画素１０７の発光面に面する面に設けるパターン形状を調整する。そして、図２６を参照して後で説明をする明るさ補正部２０５により補間元画素１０７の発光の明るさを調整する。具体的には、図５（ａ）に示すように、各補間元画素１０７の発光の明るさを通常時に対して１．２５（＝１＋１／４）倍になるように調整する。そうすることにより、図５（ｂ）に示すように、平坦な画像について、各補間元画素１０７の位置から出射する光の明るさ及び欠損画素１０９の位置から出射する光の明るさを通常画素１０５の位置から出射する光の明るさと同一にすることができる。
【００２２】
図７（ａ）及び図７（ｂ）は、それぞれ、導光板１１７の一例の部分平面図と部分断面図である。これらの図において、左端付近は１つの補間元画素１０７に近接する部分であり、右端付近は補間先である欠損画素１０９に近接する部分である。補間元画素１０７に近接する部分には、補間元画素１０７から到達した光を導光板１１７の内部に導くための入射側プリズム部１２１が設けられている。入射側プリズム部１２１から導光板１１７に斜めに入射した光は、導光板１１７の内部で全反射を繰り返しながら欠損画素１０９に近接する部分まで到達する。欠損画素１０９に近接する部分には、入射側プリズム部１２１から到達した光を欠損画素１０９の発光面に対して垂直な方向に向かって表示装置の前面に向かう光（図７（ｂ）において上方に向かう光）になるように反射させるための出射側プリズム部１２３が設けられている。また、補間元画素１０７から反射板１１７まで到達した光のうち、補間元画素１０７の位置において上面側から出射する光と、欠損画素１０９の位置において上面側から出射する光との割合が１つの補間元画素につき４：１になるように、入射側プリズム部１２１の幅の合計は、導光板１１７の全幅に対して１／５（＝１／（１＋４））になるように調整されている。図７（ａ）においては、出射側プリズム部１２３の幅と幅方向の位置を入射側プリズム部１２１に合わせているが、それ以外の幅方向の領域においても出射側プリズム部１２３が存在してもよい。
【００２３】
図８は、導光板１０７の全体平面図である。入射側プリズム部１２１−１、１２１−２、１２１−３及び１２１−４は、ぞれぞれ、第１乃至第４の補間元画素１０７に対応する。出射側プリズム部１２３−１、１２３−２、１２３−３及び１２３−４も、ぞれぞれ、第１乃至第４の補間元画素に対応する。出射側プリズム部１２３−１、１２３−２、１２３−３及び１２３−４の交差部でプリズムが欠損するならば、入射側プリズム部１２１−１、１２１−２、１２１−３及び１２１−４並びに出射側プリズム部１２３−１、１２３−２、１２３−３及び１２３−４の幅の調整と第１乃至第４の補間元画素１０７の光量調整でこれを補う。
【００２４】
図９（ａ）及び図９（ｂ）は、それぞれ、導光板１１７の他の一例の部分平面図と部分断面図である。これらの図において、左端付近は１つの補間元画素１０７に近接する部分であり、右端付近は補間先である欠損画素１０９に近接する部分である。補間元画素１０７に近接する部分には、補間元画素１０７から到達した光を導光板１１７を直線状に通過する光と導光板１１７の内部に入射する光に分離するための光分離部１２５（例えば、偏光板）が設けられている。光分離部１２５から導光板１１７に斜めに入射した光は、導光板１１７の内部で全反射を繰り返しながら欠損画素１０９に近接する部分まで到達する。欠損画素１０９に近接する部分には、光分離部１２５から到達した光を欠損画素１０９の発光面に対して垂直な方向に向かって表示装置の前面に向かう光（図９（ｂ）において上方に向かう光）になるように反射させるための出射側プリズム部１２７が設けられている。また、補間元画素１０７から反射板１１７まで到達した光のうち、補間元画素１０７の位置において上面側から出射する光と、欠損画素１０９の位置において上面側から出射する光との割合が１つの補間元画素につき４：１になるように、光分離部１２５の幅の合計は、導光板１１７の全幅に対して２／５（＝２×１／（１＋４））になるように調整されている。図９（ａ）においては、出射側プリズム部１２７の幅と幅方向の位置を光分離部１２５に合わせているが、それ以外の幅方向の領域においても出射側プリズム部１２７が存在してもよい。
【００２５】
図１０（ａ）は、図９（ａ）及び図９（ｂ）に示す形状の変形例の部分断面図である。また、図１０（ｂ）は、図１０（ａ）における切断線ＸＢ−ＸＢにおける断面図である。なお、図１０（ａ）に示す部分断面図は、図１０（ｂ）における切断線ＸＡ−ＸＡにおける断面図である。
【００２６】
図１０（ａ）及び図１０（ｂ）に示すように、導光板１１７の上面は、光分離部１２５の右端付近から下降を始める。下降角度は、導光板１１７の幅方向において両端に近づくほど大きい。従って、導光板１１７の幅方向において両端に近づくほど、光は導光板１１７を進むにつれて下面付近に高密度に集められる。導光板１１７の幅方向の位置により集められた程度にかかわらず、出射側プリズム１２９に到達した光は、これにより、欠損画素１０９の発光面に対して垂直な方向に向かって表示装置の前面に向かう光（図７（ｂ）において上方に向かう光）になる。
【００２７】
図１１は、導光板１０７の全体平面図である。光分離部１２５−１、１２５−２、１２５−３及び１２５−４は、ぞれぞれ、第１乃至第４の補間元画素１０７に対応する。出射側プリズム部１２９−１、１２９−２、１２９−３及び１２９−４は、ぞれぞれ、第１乃至第４の補間元画素に対応するが、合わさってピラミッド形状を構成する。
【００２８】
図１２（ａ）及び図１２（ｂ）は、導光板１１７の更に他の一例の部分平面図及び部分断面図である。図１２（ｃ）は、図１２（ｂ）における切断線ＸＩＩＣ−ＸＩＩＣにおける断面図である。なお、図１２（ｂ）に示す部分断面図は、図１２（ｃ）における切断線ＸＩＩＢ−ＸＩＩＢにおける断面図である。
【００２９】
当該導光板１１７の更に他の一例を図９乃至図１１に示す上述した導光板１１７と比較した場合の相違点のみの説明をする。図１２（ｂ）に示すように、導光板１１７は、正面入射部１３１と斜面状入射部１３３とを有する。補間元画素１０７から正面入射部１３１に入射した光は、導光板１１７を通り抜けて、補間元画素１０７の位置において上面側から出射する。補間元画素１０７から斜面状入射部１３３に入射した光は、導光板１１７内部で全反射を繰り返しながら出射側プリズム１２９に到達し、ここで反射することにより、欠損画素１０９の発光面に対して垂直な方向に向かって表示装置の前面に向かう光（図１２（ｂ）において上方に向かう光）になる。なお、補間を行うときに補間元画素１０７と斜面状入射部１３３との間の一部領域にプリズムを配置して、補間元画素１０７から斜面状入射部１３３に入射する光が発生するようにしてもよい。
【００３０】
図１３は、本実施形態の効果を説明するための図である。本実施形態による構成がなければ、欠損画素１０９に対応する領域は、図１３（ａ）で黒色の矩形に示すように欠損領域となり、特に、欠損画素１０９の色を含む平坦な画像に対して目立つが、本実施形態による構成により、欠損画素１０９に対応する領域であっても、図１３（ｂ）に示すように、欠損画素１０９の色を含む平坦な画像に対して、欠損領域として視覚できないものとなる。
【００３１】
［第２の実施の形態］
第１の実施の形態では、欠損画素１０９の補間のために、欠損画素１０９の周囲にある４つの補間元画素１０７を利用したが、第２の実施の形態では、図１４（ａ）及び図１４（ｂ）に示すように、欠損画素１０９の補間のために、欠損画素１０９の隣にある１つの補間元画素１０７を利用する。図１４（ａ）は、欠損画素１０９の明るさがゼロであり、補間元画素１０７の明るさが２（＝１＋１）であることを示す。図１４（ｂ）は、導光板１１７を利用することにより、欠損画素１０９の位置における明るさが１となり、補間元画素１０７の位置における明るさも１となることを示す。
【００３２】
［第３の実施の形態］
第１の実施の形態では、欠損画素１０９の補間のために、欠損画素１０９の周囲にある４つの補間元画素１０７を利用したが、第３の実施の形態では、図１４（ｃ）及び図１４（ｄ）に示すように、欠損画素１０９の補間のために、欠損画素１０９と同一行の両隣にある２つの補間元画素１０７を利用する。図１４（ｃ）は、欠損画素１０９の明るさがゼロであり、補間元画素１０７の明るさが１．５（＝１＋１／２）であることを示す。図１４（ｄ）は、導光板１１７を利用することにより、欠損画素１０９の位置における明るさが１となり、補間元画素１０７の位置における明るさも１となることを示す。
【００３３】
［第４の実施の形態］
第１の実施の形態では、表示領域の最外周に発生した欠損画素１０９の補間をすることができない。第２の実施の形態では、隣接画素を選択することにより表示領域の何れの位置に発生した欠損画素１０９も補間をすることができるが、補間元画素の数が１に限られる。第３の実施の形態では、表示領域の四隅以外に発生した欠損画素１０９の補間をすることができる。第４の実施の形態は、図１５（ａ）及び図１５（ｂ）に示すように、第３の実施の形態とは異なった形状（具体的にはＬ字型形状）の導光板１１７により、表示領域の四隅に発生した欠損画素１０９の補間をすることができるようにしたものである。図１５（ａ）は、欠損画素１０９の明るさがゼロであり、補間元画素１０７の明るさが１．５（＝１＋１／２）であることを示す。図１５（ｂ）は、導光板１１７を利用することにより、欠損画素１０９の位置における明るさが１となり、補間元画素１０７の位置における明るさも１となることを示す。
【００３４】
［第５の実施の形態］
図１１に示す導光板１１７は、図１６（ａ）に示すように、一体化されたものであってもよいが、図１６（ｂ）に示すように、４つの単位導光板１１７ｅに分割されていてもよい。それぞれの単位導光板１１９ｅの平面形状は、図１６（ｃ）に示すように、ほぼ矩形状であるが、先端に頂角が９０度の三角形状の部分を有する。
【００３５】
また、図１７に示すように、単位導光板１１７ｅには、補間元画素の位置において、単位導光板１１７ｅを透過する光を減衰させるための吸収フィルタ１６１を設けてもよい。また、図１７に示すように、単位導光板１１７ｅには、補間先画素（欠損画素）の位置で反射する光の一部を吸収して、反射光を弱くするための吸収部材１６３を設けてもよい。なお、図示しないが、吸収部材１６３は、補間元画素の位置から補間先画素（欠損画素）の位置までの範囲の他の位置に設けてもよい。
【００３６】
図１８（ａ）に示すように、４つの単位導光板１１７ｅを利用することにより、欠損画素１０９の四方に隣接する４つの補間元画素１０７により欠損画素１０９を補間することができる。
【００３７】
また、図１８（ｂ）に示すように、３つの単位導光板１１７ｅを利用することにより、欠損画素１０９の三方に隣接する３つの補間元画素１０７により欠損画素１０９を補間することができる。この補間方法は、特に、表示領域の端辺に欠損画素１０９がある場合に有効である。
【００３８】
更に、図１８（ｃ）に示すように、２つの単位導光板１１７ｅを利用することにより、欠損画素１０９に対して相互に直交する方向に隣接する２つの補間元画素１０７により欠損画素１０９を補間することができる。この補間方法は、特に、表示領域の四隅に欠損画素１０９がある場合に有効である。
【００３９】
なお、図１８（ａ）乃至図１８（ｃ）に示す数値は、導光板１１７における光の減衰、吸収フィルタ１６１による光の吸収、吸収部材１６３による光の吸収を考慮していないものである。
【００４０】
同一レベルの入力画像データに基づいて、平坦な画像を表示するためには、補間元画素１０７の位置から出射する光の強度と補間先画素（欠損画素）１０９の位置から出射する光の強度をそれらの周辺の画素から出射する光の強度と、同一にする必要があるが、このためには、（１）補間元画素１０７の位置から出射する光の強度と補間先画素（欠損画素）１０９の位置から出射する光の強度を同一にし、（２）補間元画素から出射する光の強度を調整する。
【００４１】
図１９は、上述した吸収フィルタ１６１と吸収部材１６３により、補間元画素１０７の位置からの発光強度と欠損画素１０９の位置からの発光強度が同一となるように調整する方法を説明するための図である。
【００４２】
１つの単位導光板１１７ｅを用いて１つの補間元画素１０７により、１つの欠損画素１０９の発光を補う場合において、補間元画素１０７の発光強度をＳとする。補間元画素の位置から出射する光の強度をＳ×ｒとすると、欠損画素の位置から出射する光の強度はＳ×（１−ｒ）×ｐと表すことができる。ここで、ｐは、単位導光板１１７ｅによる光の減衰を表す。
【００４３】
図１９において、符号４０１は、１つの画素により補間を行う場合に、１つの補間元画素１０７の位置から出射する光の強度を示し、符号４０３は、１つの画素により補間を行う場合に、補間先画素（欠損画素）１０９の位置から出射する光の強度を示す。また、符号４０１は、２つの画素により補間を行う場合に、１つの補間元画素１０７の位置から出射する光の強度も示し、符号４０５は、２つの画素により補間を行う場合に、補間先画素（欠損画素）１０９の位置から出射する光の強度を示す。更に、符号４０１は、３つの画素により補間を行う場合に、１つの補間元画素１０７の位置から出射する光の強度も示し、符号４０７は、３つの画素により補間を行う場合に、補間先画素（欠損画素）１０９の位置から出射する光の強度を示す。更に、符号４０１は、４つの画素により補間を行う場合に、１つの補間元画素１０７の位置から出射する光の強度も示し、符号４０９は、４つの画素により補間を行う場合に、補間先画素（欠損画素）１０９の位置から出射する光の強度を示す。
【００４４】
一例として、図１９に示すような強度関係がある場合には、補間元画素１０７の位置から出射する光の強度と補間先画素（欠損画素）１０９の位置から出射する光の強度を同一にするためには次のことを行う。
【００４５】
１つの補間元画素により補間先画素（欠損画素）の補間を行う場合には、符号４０１の強度を符号４０３の強度に合わせるために吸収フィルタ１６１を利用する。
【００４６】
２つの補間元画素により補間先画素（欠損画素）の補間を行う場合には、符号４０１の強度を符号４０５の強度に合わせるために吸収フィルタ１６１を利用する。
【００４７】
３つの補間元画素により補間先画素（欠損画素）の補間を行う場合には、符号４０７の強度を符号４０１の強度に合わせるために吸収部材１６３を利用する。
【００４８】
４つの補間元画素により補間先画素（欠損画素）の補間を行う場合には、符号４０９の強度を符号４０１の強度に合わせるために吸収部材１６３を利用する。
【００４９】
上記のｒとｐの数値の違いにより、強度関係が図１９と異なる場合には、幾つの補間元画素により補間先画素（欠損画素）の補間を行う場合に、吸収フィルタ１６１を利用して、幾つの補間元画素により補間先画素（欠損画素）の補間を行うかは、上記の例とは異なってくるが、基本的に、強度が大きい方の光に吸収フィルタ１６１又は吸収部材１６３を適用する。
【００５０】
上記のように補間元画素１０７の位置から出射する光と補間先画素（欠損画素）１０９の位置から出射する光のうちの強度が弱い方の光に強度を揃えたならば、その強度が周囲の画素の位置から出射する光の強度と同一になるように、補間元画素の発光強度を調整する。但し、予め計算しておいて強度を先に調整していてもよい。
【００５１】
なお、吸収フィルタ１６１と吸収部材１６３は、単位導光板１１７ｅから分離していてもよい。
【００５２】
［第６の実施の形態］
第６の実施の形態は、第５の実施の形態における図１６（ｃ）に示す単位導光板１１７ｅを、図２０（ａ）に示す単位導光板１１７ｆに変更したものである。
【００５３】
図２０（ｂ）に示すように、２つの単位導光板１１７ｆを利用することにより、欠損画素１０９の両方に隣接する２つの補間元画素１０７により欠損画素１０９を補間することができる。この補間方法は、特に、表示領域の端辺に欠損画素１０９がある場合に有効である。
【００５４】
また、図２０（ｃ）に示すように、１つの単位導光板１１７ｆを利用することにより、欠損画素１０９の一方に隣接する１つの補間元画素１０７により欠損画素１０９を補間することができる。この補間方法は、特に、表示領域の四隅に欠損画素１０９がある場合に有効である。
【００５５】
［第７の実施の形態］
第７の実施の形態においては、図２１に示すように導光板１１７の代わりに光ファイバケーブル１４１を利用する。光ファイバケーブル１４１の入射側端部１４３は、補間元画素１０７の真上ではなくその近傍に配置され、光ファイバケーブル１４１の出射側端部１４５は、欠損画素１０９の真上に配置される。補間元画素１０７からこれの発光面に対して斜め方向に出射した光の一部は光ファイバケーブル１４１の入射側端部１４３に到達し、そこから光ファイバケールブ１４１の内部に入った光は全反射を繰り返しながら光ファイバケーブル１４１の出射側端部１４５に到達し、そこから、欠損画素１０９の発光面に対して垂直な方向に向かって表示装置の前面に向かう光（図２１において上方に向かう光）として出射する。
【００５６】
［第８の実施の形態］
図２２は、３色の画素が別々のＬＥＤにより構成されていて、これらが相互に分離されている画像表示装置の例を示す。図２２の例では、欠損画素１０９が発生した場合、上方向に隣接する同一色の正常画素１０７を補間元画素１０７として、これらの２つの画素を導光板１１７で繋げる例を示しているが、上方向に隣接する同一色の正常画素１０７及び下方向に隣接する同一色の正常画素１０７の合わせて２画素を補間元画素１０７として、これらの３つの画素を導光板１１７で繋げるようにしてもよい。
【００５７】
［第９の実施の形態］
図６は、３色のＬＥＤ画素が組１５１を成し、各組が格子状に配列され、各組の間に通常のＬＥＤガード１１１が配置されている画像表示装置の例を示す。
【００５８】
ここで図２３（ａ）に示すように或る組の１つのＬＥＤ画素が欠損画素となった場合と、図２３（ｂ）に示すように或る組の２つのＬＥＤ画素が欠損画素となった場合には、図２４（ａ）に示すように同一の組にある正常画素をすべて強制的に消灯させる。なお、或る組の３つのＬＥＤ画素が欠損画素となった場合には、そうするまでもない。
【００５９】
そして、図２４（ｂ）に示すように、欠損画素を含む組と、この組に対して上下左右方向に隣接する４つの組を覆うように導光板１１７を配置することにより、これらの４つの組に含まれる補間元画素の発光により欠損画素を含む組の発光を補間することができる。こうすることにより、欠損画素を含む組の全体としての発光色（色相、彩度、明度）を周囲の組の発光色（色相、彩度、明度）に揃えることができる。なお、欠損画素を含む組に隣接する４個の組で補間をすることができる例を説明したが、この他に欠損画素を含む組に隣接する１乃至３個の組で補間をすることもできる。
【００６０】
［第１０の実施の形態］
第１０の実施の形態は、欠損画素の補間をすることを目的としたものではなく、発光画素のない部分においても擬似的に発光しているかのように見せること、つまり、擬似的な画素を生成することを目的としたものである。
【００６１】
図２５（ａ）乃至図２５（ｄ）に示すように、物理的に実在する２つの画素３０１の間に２つの導光板１１７を配置する。片方の実在する画素３０１から入射した光をこれらの画素の中間位置から出射させるように片方の導光板１１７の位置と大きさを調整する。同様に、他方の実在する画素３０１から入射した光をこれらの画素の中間位置から出射させるように他方の導光板１１７の位置と大きさを調整する。
【００６２】
図２５（ａ）に示すように、隣接した２つの画素の発光により、３か所から光が出るが、これらを重加算することにより、これらの中間位置に擬似的な画素３０３を生成することができる。擬似的な画素３０３は、発光する２つの画素とこれらの間にある２つの導光板１１７により生じる３つの発光点の明るさの重心点にある。
【００６３】
図２５（ｂ）に示すように、１つの画素の発光により、３か所から光が出るが、これらを重加算することにより、この画素と同一の位置に擬似的な画素３０３を生成することができるが、実在画素の位置にあるので、実在画素であるともいえる。擬似的な画素３０３は、発光する１つの画素とこれの両側にある２つの導光板１１７により生じる３つの発光点の明るさの重心点にある。
【００６４】
図２５（ｃ）は、図２５（ａ）を右方向に実在する画素で見て１画素分シフトしたものである。
【００６５】
図２５（ｄ）は、図２５（ｂ）を右方向に実在する画素で見て１画素分シフトしたものである。
【００６６】
なお、図２５（ａ）乃至図２５（ｄ）の左側に数字で示すように、実在する画素３０１の明るさを調整する。
【００６７】
［第１１の実施の形態］
第１０の実施の形態は、発光画素のない部分に擬似的な画素を発生させることを含むものであるが、第１１の実施の形態は、発光画素のある部分に擬似的な画素を発生させるためのものである。つまり、第９の実施の形態は、第１乃至第７の実施の形態と同様な構成において、画素が欠損画素にならなくても、導光板１１７の出射先の位置にある画素を強制的に消灯させることにより（つまり、擬似的に欠損画素とすることにより）、補間元画素の発光のみによりその位置を発光させることができるようにしたものである。
【００６８】
［第１２の実施の形態］
第１２の実施の形態は、第９の実施の形態と類似したものであるが、第１乃至第７の実施の形態と同様な構成において、画素が欠損画素にならない場合において、導光板１１７の出射先の位置にある画素を強制的に消灯させず、補間元画素の発光及び補間先画素の発光によりその位置を発光させることができるようにしたものである。
【００６９】
［第１１の実施の形態］
第１１の実施の形態は、第９の実施の形態と類似したものであるが、第１乃至第９の実施の形態と同様な構成において、画素が欠損画素にならない場合において、時分割で補間元画素の発光及び補間先画素の消灯と補間元画素の消灯及び補間先画素の発光を繰り返すことにより（つまり、時分割で相補的に補間元画素又は補間先画素の発光を繰り返すことにより）、時分割で補間元画素の発光及び補間先画素の発光によりその位置を発光させることができるようにしたものである。
【００７０】
なお、第１乃至第１３における導光板１１７の代わりに、一組のミラーを利用し、これにより補間元画素からの光を補間先まで導き、そこから出射させてもよい。
【００７１】
［第１４の実施の形態］
図２６は、第１乃至第１１の実施の形態による画像表示装置の全体を示す機能ブロック図である。一例として、画像表示装置は、４つのモジュールにより画面を構成するものとする。
【００７２】
信号分割処理部２１１は、入力映像信号を４つのモジュールに分配するように分割する。
【００７３】
各モジュールは、ＬＥＤ制御部２０３、明るさ補正部２０５、ＬＥＤアレイ部２０７、欠損画素位置検出部２１３、欠損画素位置記憶部２１５、配置パターン記憶部２１６、補間パターン選択部２１７、欠損画素位置出力部２１９、補間パターン出力部２２１を含む。
【００７４】
ＬＥＤアレイ部２０７は、第１乃至第１１の実施の形態で説明した画素を複数有するものである。
【００７５】
ＬＥＤ制御部２０３は、ＬＥＤアレイ部２０７に含まれる画素の発光を制御する。
【００７６】
４つのモジュールの各々においては、ＬＥＤ制御部２０３により、各画素は、全体発光、ブロック発光又は線順次発光が実行される。
【００７７】
明るさ補正部２０５は、特に、第１乃至第８の実施の形態で説明したように、補間元画素の明るさを調整する。明るさの調整には、実施形態７などにおける強制消灯も含まれる。その場合には、明るさ補正部２０５は、強制消灯部として機能する。
【００７８】
欠損画素位置検出回部２１３は、例えば欠損画素特有の電圧変化や電流変化により欠損画素とその位置を検出する。欠損画素とその位置は、例えば、特許文献１に記載の方法により検出してもよい。
【００７９】
欠損画素位置記憶部２１５は、欠損画素の位置を保持する。
【００８０】
補間元画素選択部２１７は、欠損画素（すなわち、補間先画素）の位置及び補間パターンに基づいて、１又は複数の補間元画素を選択する。
【００８１】
ここで、補間パターンが一種類しかなくそれが既知である場合には、補間元画素選択部２１７は、欠損画素の位置と既知の補間パターンに基づいて１又は複数の補間元画素を選択することができる。補間パターンが一種類しかなくそれが既知である場合とは、例えば、欠損画素の位置にかかわらず、欠損画素の或る側に隣接する画素を補間元画素とするように予め決めている場合である。
【００８２】
補間パターン選択部２１７は、複数種類ある補間パターンの中から、画像表示装置において画素がそれに従って並ぶ所定の配置パターン及び欠損画素（すなわち、補間先画素）の位置に応じて、何れかの補間パターンを選択する。なお、配置パターンは、配置パターン記憶部２１５に保持しておく。例えば、欠損画素の或る側に隣接する画素を補間元画素とするが、或る側の末端辺にある画素が欠損画素である場合は、別の側に隣接する画素を補間元画素とするような場合には、補間パターン選択部２１７を用いて補間パターンを選択する。また、欠損画素が表示領域の四隅の何れかにある場合には、２方向に隣接する２つの画素を補間元画素とし、欠損画素が表示領域の四隅を除いた最外周にある場合には、それが存在する辺において両側に隣接する２つの画素を補間元画素とし、欠損画素がそれ以外の場所にある場合には、上下左右に隣接する４つの画素を補間元画素とするような場合には、補間パターン選択部２１７を利用して補間パターンを選択する。
【００８３】
明るさ補正部２０５は、欠損画素位置記憶部２１５に保持されている欠損画素の位置と補間パターンに従って１又は複数の補間元画素を選択し、それらの補間元画素の光量を補間パターンに従って調整する。
【００８４】
また、導光板１１７の形状を補間パターンに合わせたものにする必要があるところ、導光板１１７は、例えば、保守点検を行うサービスマンが欠損画素を発見した時に、ストックしている導光板から取り出して、画像形成装置に新たに配置するものであることが通常である。従って、明るさ補正部２０５により明るさ調整をする補間元画素から正しく欠損画素の位置まで導光板１１７により光を導くためには、サービスマンなどが、正しい形状の導光板１１７を画像表示装置の正しい位置に配置する必要がある。欠損画素位置出力部２１９は、これを可能にするために欠損画素の位置を何かしらの形態で出力する。これによりサービスマンなどは、欠損画素の位置を知ることができるようになる。また、補間パターン出力部２２１は、補間パターンが２種類以上ある場合には、補間パターン選択部２１７により選択された補間パターンを何かしらの形態で出力する。これによりサービスマンなどは、必要な導光板１１７を選択することができるようになる。
【００８５】
なお、ＬＥＤ制御部２０３及びＬＥＤアレイ部２０７以外の部分の全部又は一部をモジュール間で共用してもよい。
【００８６】
上記の画像表示装置の少なくとも一部は、ハードウェア、ソフトウェア又はこれらの組合わせにより実現することができる。また、上記の画像表示装置などにより行なわれる欠損画素補間方法の少なくとも一部も、ハードウェア、ソフトウェア又はこれらに組合わせにより実現することができる。ここで、ソフトウェアによって実現されるとは、コンピュータがプログラムを読み込んで実行することにより実現されることを意味する。
【００８７】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８８】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【００８９】
本発明は、画像表示装置に利用することができる。
【符号の説明】
【００９０】
１０７  補間元画素
１０９  欠損画素（補間先画素）
１１１  通常ＬＥＤガード
１１３  導光板用ＬＥＤガード
１１７  導光板
１４１  光ファイバケーブル
１５１  組
【図１】
2018197781.tif 000003
【図２】
2018197781.tif 000004
【図３】
2018197781.tif 000005
【図４】
2018197781.tif 000006
【図５】
2018197781.tif 000007
【図６】
2018197781.tif 000008
【図７】
2018197781.tif 000009
【図８】
2018197781.tif 000010
【図９】
2018197781.tif 000011
【図１０】
2018197781.tif 000012
【図１１】
2018197781.tif 000013
【図１２】
2018197781.tif 000014
【図１３】
2018197781.tif 000015
【図１４】
2018197781.tif 000016
【図１５】
2018197781.tif 000017
【図１６】
2018197781.tif 000018
【図１７】
2018197781.tif 000019
【図１８】
2018197781.tif 000020
【図１９】
2018197781.tif 000021
【図２０】
2018197781.tif 000022
【図２１】
2018197781.tif 000023
【図２２】
2018197781.tif 000024
【図２３】
2018197781.tif 000025
【図２４】
2018197781.tif 000026
【図２５】
2018197781.tif 000027
【図２６】
2018197781.tif 000028